【手続補正書】
【提出日】令和2年9月14日(2020.9.14)
【手続補正１】
【補正対象書類名】特許請求の範囲
【補正対象項目名】全文
【補正方法】変更
【補正の内容】
【特許請求の範囲】
【請求項１】
複数の被覆エレメント（１００、１１０、１２０、１３０、１４０、１５０、１６０）を備える防波堤若しくは突堤構造物（２００）であって、
各被覆エレメントは、ｘ軸、ｙ軸、及びｚ軸を有し、これらの軸は直交軸系の仮想軸系を規定し、ｚ軸とｘ軸とで水平なｚｘ平面を規定し、ｘ軸とｙ軸とでｘｙ平面を規定し、
各被覆エレメントは、突出部を有する中央部（３０）によって規定され、該突出部は、
−  第一脚部（３１）、第二脚部（３２）であり、該第一脚部（３１）及び該第二脚部（３２）はｘｙ平面上に延在し、該第一脚部（３１）及び該第二脚部（３２）は前記中央部（３０）に対して反対側からｘ軸の方向に延在し、
−  二つの鼻部（１７、１８）が、中央部（３０）から互いに反対方向に、ｚ軸方向に突出し、
それにより、被覆エレメントは各々Ｘ字型若しくはＨ字型プレート部（１６）の形状を有し、
該プレート部（１６）は、
前記Ｘ字型若しくは前記Ｈ字型によって決定される四つのプレート部脚部を有し、該プレート部脚部のうちの二つはプレート部（１６）の第一対角線（２）上にあり、残りの二つのプレート部脚部はプレート部（１６）の第二対角線（３）上にあり、前記残りの二つのプレート部脚部は、前記突出部である前記第一脚部（３１）及び前記第二脚部（３２）を規定し、
前記プレート部に対して直角で、前記プレート部から互いに反対方向に突出する二つのプレート部鼻部を有し、該二つのプレート部鼻部は前記突出部である前記二つの鼻部（１７、１８）を規定し、
プレート部（１６）の前記第一対角線（２）上に位置する二つのプレート部脚部のうち少なくとも一方は除去され、
各被覆エレメントは前記第一対角線（２）に沿って測った第一寸法Ｄ１と、前記第二対角線（３）に沿って測った第二寸法（Ｄ２）とを有し、該第一寸法（Ｄ１）は該第二寸法（Ｄ２）よりも小さく、
前記複数の被覆エレメント（１００、１１０、１２０、１３０、１４０、１５０、１６０）は、水平な列（２０３、２０４、２０５、２０６）に並べられ、この水平な列は構造物（２００）の斜面に沿って積み重ねられて傾斜配置され、それにより、少なくとも一つの水平な列が少なくとも別の一つの水平な列に対して前記斜面に沿ってずれて配置され、各列の隣接する各被覆エレメント（１００、１１０、１２０、１３０、１４０、１５０、１６０）の鼻部（１７、１８）は一直線上に並び、各被覆エレメント（１００、１１０、１２０、１３０、１４０、１５０、１６０）のｘ軸は水平に配向され、前記少なくとも一つの水平な列の方が上方の列で、前記少なくとも別の一つの水平な列の方が下方の列であり、
前記上方の列（２０４、２０５、２０６）のうち少なくとも一列の被覆エレメント（１００、１１０、１２０、１３０、１４０、１５０、１６０）は、前記下方の列（２０３、２０４、２０５）のうち少なくとも一列の隣接する被覆エレメント（１００、１１０、１２０、１３０、１４０、１５０、１６０）の二つの隣接する鼻部（１７、１８）上に支持される前記第一脚部をそれぞれ有すると共に、前記下方の列の隣接する被覆エレメントの第二脚部上に支持される鼻部をそれぞれ有し、前記被覆エレメントの前記第二脚部（３２）は、前記斜面（２０１）に支持され、被覆エレメントの中央部（３０）の底面は傾斜から浮いており、それにより、上方の列の被覆エレメントの重量によって、下方の列の被覆エレメントの第二脚部（３２）が斜面にしっかりと押し付けられる、防波堤若しくは突堤構造物（２００）。
【請求項２】
各被覆エレメントの前記中央部、前記二つの鼻部、前記第一脚部、及び前記第二脚部は、単一部品として形成されている、請求項１に記載の構造物（２００）。
【請求項３】
前記第一対角線上にある二つのプレート部脚部（３３、３４）が両方とも削除されている、請求項１又は２に記載の構造物（２００）。
【請求項４】
前記突出部が、ｘｙ平面に延在してｙ軸方向に上方に延在する第三脚部（３３）をさらに有し、
前記第一対角線上にあるプレート部脚部のうちの一方が削除され、前記第一対角線上にある前記プレート部脚部のうちの他方が、突出部である第三脚部（３３）を規定する、請求項１又は２に記載の構造物（２００）。
【請求項５】
前記第一脚部（３１）の上側がｘ軸に対して４５°傾斜している、請求項１〜４のいずれか１項に記載の構造物（２００）。
【請求項６】
ｚ軸方向に見ると、プレート部の厚さ（Ｔ）が３０ｃｍ〜１５０ｃｍの範囲内である、請求項１〜５のいずれか１項に記載の構造物（２００）。
【請求項７】
前記第二寸法（Ｄ２）が１．２７〜６．３６ｍであり、前記第一寸法（Ｄ１）が前記第二寸法（Ｄ２）の長さの３５％〜６５％である、請求項１〜６のいずれか１項に記載の構造物（２００）。
【請求項８】
前記第一脚部（３１）の底面（５２）は、ｚ軸（Ｚ）に平行な第一幅（Ｂ１）を有し、前記第二脚部（３２）の頂面（５３）は、ｚ軸（Ｚ）に平行な第二幅（Ｂ２）を有し、
前記鼻部（１７、１８）は、上方支持面及び下方支持面（４１、４２）を有し、該上方及び下方支持面（４１、４２）は各鼻部（１７、１８）の自由端（４３、４４）に隣接し、
プレート部に対して直角方向（Ｚ）において、前記上方及び下方支持面（４１、４２）は長さ（Ｕ４，Ｕ５）を有し、前記長さ（Ｕ４、Ｕ５）は、第一脚部（３１）の幅（Ｂ１）及び第二脚部（３２）の幅（Ｂ２）のそれぞれ５０％未満である、請求項１〜７のいずれか１項に記載の構造物。
【請求項９】
前記上方及び下方支持面（４１、４２）の長さ（Ｕ４、Ｕ５）が、
−  前記第一脚部（３１）の幅（Ｂ１）及び前記第二脚部（３２）の幅（Ｂ２）のそれぞれ最大でも４０％であり、及び／又は
−  前記第一脚部（３１）の幅（Ｂ１）及び前記第二脚部（３２）の幅（Ｂ２）のそれぞれ少なくとも２５％である、請求項８に記載の構造物。
【請求項１０】
前記上方及び下方支持面（４１、４２）がｘｙ平面に対して実質的に平行に延在する、請求項８又は９に記載の構造物。
【請求項１１】
前記鼻部（１７、１８）が、ｚｘ平面に対して傾斜している上方及び／又は下方ガイド面（４５、４６）を有し、
前記上方及び／又は下方支持面（４１、４２）が、各鼻部（１７、１８）の自由端（４３、４４）から中央部（３０）の方向へ見ると、それぞれ上方又は下方ガイド面（４５、４６）に隣接している、請求項８〜１０のいずれか１項に記載の構造物。
【請求項１２】
前記鼻部（１７、１８）が、ｚｘ平面方向に延在する上方及び／又は下方スペーサー（４７、４８）を有し、
前記鼻部が、ｚｘ平面に対して傾斜している上方及び／又は下方ガイド面（４５、４６）を有し、前記上方及び／又は下方ガイド面は、鼻部（１７、１８）の自由端（４３、４４）から中央部（３０）の方向へ見ると、それぞれ上方又は下方スペーサー（４７、４８）に隣接しており、
前記上方及び／又は下方スペーサー（４７、４８）が、ｚ軸（Ｚ）に沿って測った長さ（Ｖ１、Ｖ２）を有していてもよく、前記長さ（Ｖ１、Ｖ２）が、第一脚部（３１）の幅（Ｂ１）若しくは第二脚部（３２）の幅（Ｂ２）のそれぞれ２０％よりも長い、例えば少なくとも３０％であってもよい、請求項８〜１０のいずれか１項に記載の構造物。
【請求項１３】
前記各鼻部（１７、１８）が、ガイド面として設計された前記上方支持面を有し、該ガイド面は、中央部（３０）から見るとｚｘ平面に対して下方に傾斜しており、第一脚部（３１）の底面の両側には、第一脚部の中央から見るとｚｘ平面に対して上方に傾斜している上方傾斜部が設けられている、請求項８、９、１１〜１２のいずれか１項に記載の構造物。
【請求項１４】
前記下方傾斜の傾斜角度と前記上方傾斜部の傾斜角度とが同じである、請求項１３に記載の構造物。
【請求項１５】
前記第一脚部（３１）の第一幅（Ｂ１）が前記第二脚部（３２）の第二幅（Ｂ２）に等しい、請求項８〜１３のいずれか１項に記載の構造物。
【請求項１６】
前記鼻部（１７、１８）の少なくとも一方は、鼻部（１７、１８）の第一長手方向側面（５０）から、鼻部（１７、１８）の第一長手方向側面（５０）の反対側に位置する第二長手方向側面（５１）まで延在する鼻凹部（５５）を有する、請求項１〜１５のいずれか１項に記載の構造物。
【請求項１７】
前記鼻凹部（５５）が、鼻部（１７、１８）の自由端（４３、４４）に形成された窪みである、請求項１６に記載の構造物。
【請求項１８】
前記第一長手方向側面（５０）から前記第二長手方向側面（５１）へと、前記鼻凹部（５５）を通して仮想接続線（５４）を描くことができ、該接続線（５４）は、ｚｘ平面に対して角度を成している、請求項１６又は１７に記載の構造物。
【請求項１９】
両方の鼻部（１７、１８）が前記鼻凹部（５５）を有する、請求項１６〜１８のいずれか１項に記載の構造物。
【請求項２０】
前記鼻部（１７、１８）は上方及び下方支持面（４１、４２）を有し、該支持面（４１、４２）は、大半がｚｘ平面に対して平行に延在し、
前記下方支持面（４２）は、前記上方支持面（４１）に対してｘ軸（Ｘ）方向にずれており、上方支持面（４１）と下方支持面（４２）とは、互いにｙ軸（Ｙ）方向に最大限でも部分的であるが重複している、請求項１〜１９のいずれか１項に記載の構造物。
【請求項２１】
前記下方支持面（４２）と前記上方支持面（４１）とが、ｙ軸方向に見ると互いに重複しないように、上方支持面（４１）と下方支持面（４２）とが互いにｘ軸方向にずれている、請求項２０に記載の構造物。
【請求項２２】
前記中央部（３０）には、被覆エレメント（１６０）の底面から被覆エレメント（１６０）の頂面までｙ軸（Ｙ）方向に延在する通路が設けられ、該通路は、被覆エレメント（１６０）の下方にあって被覆エレメント（１６０）に上向きの圧力をかける水が、前記通路（６３）を通って逃げて、被覆エレメント（１６０）を上向きの圧力から解放することができるように設計されている、請求項１〜２１のいずれか１項に記載の構造物。
【請求項２３】
前記第二脚部（３２）の頂面（５３）はｚｘ平面方向に延在し、中央部（３０）で、ｚｙ平面方向に延在する中央部（３０）の後側表面部分（６７）に隣接し、
第一脚部（３１）の底面（５２）はｚｘ平面方向に延在し、中央部（３０）で、ｚｙ平面方向に延在する中央部（３０）の前側表面部分（６６）に隣接する、請求項１〜２２のいずれか１項に記載の構造物。
【請求項２４】
前記後側表面部分（６７）は、第二脚部（３２）の頂面（５３）に対して実質的に直角である、請求項２３に記載の構造物。
【請求項２５】
前記前側表面部分（６６）は、第一脚部（３１）の底面（５２）に対して実質的に直角である、請求項２３又は２４に記載の構造物。
【手続補正２】
【補正対象書類名】明細書
【補正対象項目名】００３８
【補正方法】変更
【補正の内容】
【００３８】
第三の特徴
本発明の第一、第二、第四、第五、第六、及び第七の特徴とは別の言葉で表現すると、本発明の第三の特徴は、以下のように表される被覆エレメントを提供する：
スロープ等の防波堤若しくは突堤構造物のためのコンクリート製被覆エレメントであって、
−  ｘ軸、ｙ軸、及びｚ軸が、直交軸の仮想系を規定し、ｚ軸とｘ軸とでｚｘ平面を規定し、
−  被覆エレメントが、中央部、二つの鼻部、第一脚部、及び第二脚部を備え、中央部、二つの鼻部、及び第一及び第二脚部が単一部品として形成され、
−  鼻部は中央部からｚ軸方向に互いに反対方向に延在し、第一及び第二脚部は中央部からｘ軸方向に互いに反対方向に延在し、
−  第一脚部の底面はｚ軸に平行な第一幅を有し、第二脚部の頂面はｚ軸に平行な第二幅を有し、
−  鼻部は上方支持面及び／又は下方支持面を有し、この支持面は各鼻部の自由端に隣接し、任意にｚｘ平面に対して実質的に平行に延在し、
−  ｚ軸に平行な方向において、支持面は所定の長さであり、この長さは、第一脚部の幅及び第二脚部の幅のそれぞれ５０％未満である、
被覆エレメント。
【手続補正３】
【補正対象書類名】明細書
【補正対象項目名】００３９
【補正方法】変更
【補正の内容】
【００３９】
本発明の第三の特徴による被覆エレメントは、いわゆる屋根瓦的構造の規則的な列に非常に効率的に配置することができる。この屋根瓦的構造では、各列の被覆エレメントの鼻部は、常に一直線上に並び、被覆エレメントの脚部間に距離を保つ。積み重ねられた連続する列は、互い違いになっている。上の列の被覆エレメントは、下の列の被覆エレメントの鼻部によって支持される。各被覆エレメントには、鼻部の自由端に上方支持面及び／又は下方支持面が設けられているので、防波堤構造物の安定性が増す。支持面の長さは第二支持脚部の幅の５０％よりも短いので、同じ列の被覆エレメントの対向する二つの鼻部間に、確実に自由空間が存在する。スロープに作用する水はこの空間を通過することができる。よって、スロープに作用する水の波の作用を砕き、抑えることができる。この自由空間はさらに、このような屋根瓦的構造のための単位表面に必要な材料の量（つまりコンクリートの量）を削減することができる。
【手続補正４】
【補正対象書類名】明細書
【補正対象項目名】００８１
【補正方法】変更
【補正の内容】
【００８１】
本発明の第一の特徴による被覆エレメント、並びに本発明の第三、第四、第五、第六、第七の特徴による被覆エレメントは、幾つかの脚部３１、３２、３３の形式である突出部と、二つの鼻部１７、１８とを有する中央部３０としても説明することができる。ここで脚部３１、３２、３は、仮想直交ｘｙｚ系のｘｙ平面等の平面上に延在している。二つの鼻部１７、１８は、中央部３０から互いに反対方向に（例えば仮想ｘｙｚ系のｚ軸方向に）突出し、脚部３１、３２、３３に対して直角（つまりｘｙ平面に対して横断方向）である。三つの脚部の場合もあるが、図１〜図５、図７〜図１２、図１４〜図１９に示すように二つの脚部３１、３２の場合もある。図１〜図５、図７〜図１２、図１４〜図１９に示す脚部３１、３２の場合は、図１〜図５に示すように、第一角部２４、若しくは第二角部２５にそれぞれ対応する。
【手続補正５】
【補正対象書類名】明細書
【補正対象項目名】０１０９
【補正方法】変更
【補正の内容】
【０１０９】
被覆エレメント１６０をスロープに、図６及び図２０〜図２３に示すようなパターンで配置して使用することにより、本発明の第七の特徴により、第二脚部３２の頂面５３及び／又は第一脚部３１の底面側５２に、好ましくは実質的に垂直な当接部６６、６７を設けることにより、上の列の被覆エレメント１６０が、その下の列の被覆エレメント１６０を越えて前方へスライドすることを防止することができる。よって、被覆エレメントが地面に対して及び互いにずれることが防止される。このようなずれは、このようないくつかの被覆エレメントを含む構造体の安定性並びに防波及び／又は突堤作用を低下させ、或いは深刻な影響を与えるので、望ましくない。第二脚部３２の頂面側５３の当接部６７は、例えば、通常はｘｙ平面に対して平行に延在するが、ｘｙ平面に対して角度を為していてもよい、第二脚部３２の頂面５３が、中央部３０において、中央部３０のｚｙ面の方向に延在する後側表面部分６７に隣接することにより、実現することができる。被覆エレメントを傾斜面上に載置すると、上の列の被覆エレメント１６０の鼻部１７、１８の前面における底縁部６８が、下の列の被覆エレメント１６０の中央部３０の前記後側表面部分６７に接触するようになる。これを図示した図２１を参照のこと。第一脚部３１の底面側５２の当接部６６は、例えば、通常はｘｙ平面に対して平行に延在するが、ｘｙ平面に対して角度を為していてもよい第一脚部３１の底面５２が、中央部３０において、中央部３０のｚｙ面の方向に延在する前側表面部分６６に隣接することにより、実現することができる。被覆エレメントを傾斜面上に載置すると、下の列の被覆エレメント１６０の鼻部１７、１８の背面における頂縁部６９が、上の列の被覆エレメント１６０の中央部３０の前記前側表面部分６６に接触するようになる。
【手続補正６】
【補正対象書類名】明細書
【補正対象項目名】０１３７
【補正方法】変更
【補正の内容】
【０１３７】
２６] 前記節の一つに記載した被覆エレメント（１５０、１６０）であって、
-  ｚ軸（Ｚ）とｘ軸（Ｘ）とがｚｘ平面を規定し、
-  プレート部（１）が、中央部（３０）と、第一脚部（３１）と、第二脚部（３２）とを備え、
−  鼻部（１７、１８）が中央部（３０）からｚ軸（Ｚ）方向に互いに反対方向に延在し、第一及び第二脚部（３１、３２）が中央部（３０）からｘ軸（Ｘ）方向に互いに反対方向に延在し、
−  第一脚部（３１）の底面（５２）は、ｚ軸（Ｚ）に平行な第一幅（Ｂ１）を有し、第二脚部（３２）の頂面（５３）は、ｚ軸（Ｚ）に平行な第二幅（Ｂ２）を有し、
−  鼻部（１７、１８）は、上方支持面及び／又は下方支持面（４１、４２）を有し、この支持面（４１、４２）は各鼻部（１７、１８）の自由端（４３、４４）に隣接し、
−  ｚ軸（Ｚ）に平行な方向において、支持面（４１、４２）は長さ（Ｕ４，Ｕ５）を有し、この長さ（Ｕ４、Ｕ５）は、第一脚部（３１）の幅（Ｂ１）及び第二脚部（３２）の幅（Ｂ２）のそれぞれ５０％未満である、被覆エレメント（１５０、１６０）。
【手続補正７】
【補正対象書類名】明細書
【補正対象項目名】０１３８
【補正方法】変更
【補正の内容】
【０１３８】
２７] スロープ等の防波堤若しくは突堤構造物のためのコンクリート製被覆エレメント（１５０、１６０）であって、
−  ｘ軸（Ｘ）、ｙ軸（Ｙ）、及びｚ軸（Ｚ）が、直交軸の仮想系を規定し、ｚ軸（Ｚ）とｘ軸（Ｘ）とでｚｘ平面を規定し、
−  被覆エレメント（１５０、１６０）が、中央部（３０）、二つの鼻部（１７、１８）、第一脚部（３１）、及び第二脚部（３２）を備え、中央部（３０）、二つの鼻部（１７、１８）、及び第一及び第二脚部（３１、３２）が単一部品として形成され、
−  鼻部（１７、１８）は中央部（３０）からｚ軸（Ｚ）方向に互いに反対方向に延在し、第一（３１）及び第二（３２）脚部は中央部（３０）からｘ軸（Ｘ）方向に互いに反対方向に延在し、
−  第一脚部（３１）の底面（５２）はｚ軸（Ｚ）に平行な第一幅（Ｂ１）を有し、第二脚部（３２）の頂面（５３）はｚ軸（Ｚ）に平行な第二幅（Ｂ２）を有し、
−  鼻部（１７、１８）は上方支持面及び／又は下方支持面（４１、４２）を有し、この支持面（４１、４２）は各鼻部（１７、１８）の自由端（４３、４４）に隣接し、
−  ｚ軸（Ｚ）に平行な方向において、支持面（４１、４２）は長さ（Ｕ４，Ｕ５）であり、この長さ（Ｕ４、Ｕ５）は、第一脚部（３１）の幅（Ｂ１）及び第二脚部（３２）の幅（Ｂ２）のそれぞれ５０％未満である、
被覆エレメント。
【手続補正８】
【補正対象書類名】明細書
【補正対象項目名】０１７２
【補正方法】変更
【補正の内容】
【０１７２】
１  （仮想）プレート
２  第一プレート対角線
３  第二プレート対角線
４  第一プレート対角線上のプレート角
５  第二プレート対角線上のプレート角
６  第一プレート対角線上のプレート角
７  第二プレート対角線上のプレート角
８  プレート辺
９  プレート辺
１０  プレート辺
１１  プレート辺
１２  第一平坦面
１３  第二平坦面
１４  プレート凹部
１５  プレート凹部
１６  プレート部
１７  鼻部
１８  鼻部
１９  プレート凹部
２０  プレート凹部
２１  鼻部角
２２  第一割線
２３  第二割線
２４  第一角部
２５  第二角部
３０  中央部
３１  第一脚部
３２  第二脚部
３３  第三脚部
３４  第四脚部
４１  上方支持面
４２  下方支持面
４３  鼻部１７の自由端
４４  鼻部１８の自由端
４５  鼻部の上方ガイド面
４６  鼻部上の下方ガイド面
４７  上方スペーサー、鼻部
４８  下方スペーサー、鼻部
５０  鼻部の一方の長手方向側面
５１  鼻部の他方の長手方向側面
５２  底面、第一脚部
５３  頂面、第二脚部
５４  接続線
５５  凹部
６０  鼻部間スペース
６１  下方傾斜ガイド面
６２  上方傾斜部
６３  通路
６４  底面、被覆エレメント
６５  頂面、被覆エレメント
６６  中央部の前方当接部／前側表面部分
６７  中央部の後方緩衝部／後側表面部分
６８  下方縁部、鼻部前面
６９  上方縁部、鼻部背面
１００  被覆エレメント第一実施態様
１１０  被覆エレメント第二実施態様
１２０  被覆エレメント第三実施態様
１３０  被覆エレメント第四実施態様
１４０  被覆エレメント第五実施態様
１５０  被覆エレメント第六実施態様
１６０  被覆エレメント第七実施態様
２００  スロープ
２０１  傾斜部
２０２  下端／先端
２０３  最下列
２０４  中間の列
２０５  中間の列
２０６  最上列
Ａ  深さ、プレート凹部
Ｂ  プレート凹部深さ方向の鼻部厚さ
Ｂ１  幅、第一脚部
Ｂ２  幅、第二脚部
Ｃ  幅、プレート凹部
Ｄ１  第一寸法
Ｄ２  第二寸法
Ｅ  幅、鼻部
Ｆ  幅、プレート凹部底部
Ｈ  鼻部高さ
Ｎ  鼻部長さ
Ｔ  厚さ、プレート部
Ｕ１  深さ、鼻凹部
Ｕ４  長さ、上方支持面
Ｕ５  長さ、下方支持面
Ｖ  鼻部端部までの距離
Ｖ１  長さ、上方スペーサー
Ｖ２  長さ、下方スペーサー
α  第一割線と第一プレート対角線がなす角度
Ｘ  ｘ軸
Ｙ  ｙ軸
Ｘ  ｚ軸